(57)【要約】【課題】外枠１１の内側領域に下方に凹陥する凹陥部領域１２が形成されており、凹陥部領域１２の最下方部には貫通孔１３が形成されている構成を備えた床用断熱材５０において、外枠１１に沿って任意の位置で裁断した形状として床下地の隣り合う横架材間に充填する場合であっても、裁断しない状態の床用断熱材を横架材間に充填するときに用いる留め金具３０をそのまま用いて、安定した状態で横架材間に充填できるようにする。【解決手段】床用断熱材５０は、外枠１１と、外枠１１の対向する２辺１１ｃ、１１ｄに両端を接続する少なくとも１本の第１の内枠１５ｙと、対向する他の２辺１１ａ、１１ｂに両端を接続する少なくとも１本の第２の内枠１１ｘとを備える。どの位置で切断しても、切断面には外枠１１と同じ断面形状である第１の内枠１５ｙまたは第２の内枠１１ｘの断面が現れるので、同じ留め金具３０を用いて、横架材間に固定することができる。【選択図】図１
2013204276.tif 000002
【特許請求の範囲】
【請求項１】
床下地の隣り合う横架材間に充填される床用断熱材であって、矩形状の外枠と、該外枠の対向する２辺に両端を接続する少なくとも１本の第１の内枠と対向する他の２辺に両端を接続する少なくとも１本の第２の内枠とを備え、前記外枠および内枠の底面は水平面とされており、前記外枠および内枠に囲まれた内側領域には前記外枠および内枠の上面から下方に凹陥する凹陥部領域が形成されており、該凹陥部領域の最下方部には貫通孔が形成されていることを特徴とする床用断熱材。
【請求項２】
前記外枠および内枠の双方またはいずれか一方の上面はそれぞれの底面と平行な水平面とされていることを特徴とする請求項１に記載の床用断熱材。
【請求項３】
前記外枠および内枠の双方またはいずれか一方の上面は前記凹陥部領域の表面側に連続する傾斜面を有することを特徴とする請求項１に記載の床用断熱材。
【請求項４】
前記矩形状の外枠を構成する４辺の少なくとも１辺には、断面Ｖ字状の切り込み溝が形成されていることを特徴とする請求項１ないし３のいずれか一項に記載の床用断熱材。
【請求項５】
前記凹陥部領域の表面側の傾斜勾配は１／１０〜３／１０の範囲であることを特徴とする請求項１ないし４のいずれか一項に記載の床用断熱材。
【請求項６】
少なくとも前記凹陥部領域の表面には界面活性剤が塗布または含浸されていることを特徴とする請求項１ないし５のいずれか一項に記載の床用断熱材。
【請求項７】
前記貫通孔には通気性を有する材料が充填されていることを特徴とする請求項１〜６のいずれかに記載の床用断熱材。
【発明の詳細な説明】
【技術分野】
【０００１】
本発明は床用断熱材に関し、特にプラットフォーム工法によって組み立てられる建物の床部の断熱施工に用いるのに好適な床用断熱材に関する。
【背景技術】
【０００２】
建物の床部の断熱性を向上させるために、床下地の隣り合う横架材間に、例えば樹脂発泡体からなる断熱材を充填し、その上に床板を張り付けることが行われる。従来、この種の床用断熱材として単に平板状のものが用いられているが、例えばプラットフォーム工法といわれるような、屋根を仕上げる前に床部を仕上げることが求められる工法では、床用断熱材を床下地の横架材間に充填した後、その上に床板を張り付けるまでの間に雨が降った場合に、床用断熱材の上面に雨水が滞留してしまう恐れがある。
【０００３】
それを回避するための床用断熱材が特許文献１に記載されており、その床用断熱材１０は、図７に示すように、床下地の隣り合う横架材２０ａ、２０ｂ、２１ａ、２１ｂ間に充填される床用断熱材１０であって、矩形状の外枠１１と、該外枠１１に囲まれた内側領域を備え、該内側領域には外枠１１の上面から凹陥する形状とされた凹陥部領域１２が複数個形成されており、該凹陥部領域１２の最下方部には貫通孔１３が形成されている。
【０００４】
床下地の隣り合う横架材２０ａ、２０ｂ、２１ａ、２１ｂ間に上記の床用断熱材１０を充填するに際しては、横架材の適所に適数の留め金具３０を取り付ける。そして、上方から床用断熱材１０を横架材内に押し込めていき、床用断熱材１０の外枠１１の底面が、横架材に固定した留め金具３０によって支持されることで、適正位置に充填される。
【０００５】
上記の床用断熱材１０を用いることにより、プラットフォーム工法のように屋根を仕上げる前に床部を仕上げることが求められる工法において、床用断熱材１０を床下地の横架材間に充填した後、その上に床板を張り付けるまでの間に雨が降った場合等においても、凹陥部領域１２に滞留する雨水は、凹陥部領域１２の最下方部に形成した貫通孔１３を通して排出されるので、雨水が床用断熱材１０の上面に滞留するのを確実に阻止することができる。
【０００６】
特許文献１には、別の形態の床用断熱材も記載されており、その床用断熱材１０ａは、図８（ａ）（ｂ）に示すように、前記内側領域が、外枠１１の対向する２辺１１ａ、１１ｂに両端を接続する２本の内枠１５ａ、１５ｂによって、３つの領域Ａ、Ｂ、Ｃに区分けされており、各Ａ、Ｂ、Ｃには、適数の前記凹陥部領域１２が形成されている。この形態の床用断熱材１０ａは、２つの内枠１５ａ、１５ｂの双方またはいずれか一方の領域内の箇所で床用断熱材１０ａを裁断することにより、横幅が大きく異なる複数種の床用断熱材を得ることができ、施工現場での対応にバリエーションを持たせることができる。
【先行技術文献】
【特許文献】
【０００７】
【特許文献１】特許第４８１８０７７号公報
【発明の概要】
【発明が解決しようとする課題】
【０００８】
図８（ａ）（ｂ）に示す床用断熱材１０ａにおいて、異なった大きさの床用断熱材を得ようとして、図でＸ軸方向に沿って裁断する場合、すなわち内枠１５ａ、１５ｂに直交する方向に裁断する場合には、図８（ｂ）の断面図に示されるように、切断面に内枠１５ａ、１５ｂの断面が現れる。内枠１５ａ、１５ｂは外枠１１とほぼ同じ厚みであり、かつ底面は図示のように水平面となっているので、切断した断面が当接する横架材２０における前記内枠１５ａ、１５ｂの断面が位置することとなる場所に、他の横架材に固定した留め金具３０と同じ留め金具３０を固定することで、床用断熱材１０ａを安定した状態に取り付けることができる。
【０００９】
しかしながら、図８（ａ）でＹ方向に沿って切断する場合、すなわち図８（ａ）のｙ−ｙ線でのように、内枠１５ａ、１５ｂに沿う方向に切断する場合には、内枠１５ａ、１５ｂの位置で切断する場合を除き、図８（ｃ）に示すように、切断面には、外枠１１、１１と該外枠１１、１１の間に位置する前記した凹陥部領域１２の切断のみが現れる。図８（ｂ）（ｃ）に示されるように、凹陥部領域１２の底面は傾斜面でありかつ外枠１１の底面よりも低い位置に位置しており、そのために、他の３辺を支持するのに使用した留め金具３１を、前記切断面が当接する横架材にそのまま使用することができず、特別の形状の留め金具を用意することが必要となる。
【００１０】
本発明は、上記の事情に鑑みてなされたものであり、矩形状の外枠の内側領域に下方に凹陥する凹陥部領域が形成されており、該凹陥部領域の最下方部には貫通孔が形成されている構成を備えた床用断熱材において、辺に沿った任意の位置で裁断した形状として床下地の隣り合う横架材間に充填する場合であっても、裁断しない状態の床用断熱材を横架材間に充填するときに用いる留め金具をそのまま用いて、安定した状態で横架材間に充填することのできる床用断熱材を提供することを課題とする。
【課題を解決するための手段】
【００１１】
本発明による床用断熱材は、床下地の隣り合う横架材間に充填される床用断熱材であって、矩形状の外枠と、該外枠の対向する２辺に両端を接続する少なくとも１本の第１の内枠と対向する他の２辺に両端を接続する少なくとも１本の第２の内枠とを備え、前記外枠および内枠の底面は水平面とされており、前記外枠および内枠に囲まれた内側領域には前記外枠および内枠の上面から下方に凹陥する凹陥部領域が形成されており、該凹陥部領域の最下方部には貫通孔が形成されていることを特徴とする。
【００１２】
本発明による床用断熱材では、直交する２つの辺のいずれに沿って裁断する場合でも、その裁断面には、かならず第１の内枠または第２の内枠の断面が現れる。そして、第１の内枠およびは第２の内枠はいずれも外枠とほぼ同じ厚みであり、かつ前記外枠および内枠の底面は水平面とされているので、切断した断面が当接する横架材における前記第１または第２の内枠の断面が位置することとなる位置に、他の横架材に固定した留め金具、すなわち外枠が当接する横架材に固定した留め金具と同じ留め金具を固定することで、床用断熱材を床下地の隣り合う横架材間に安定した状態に充填することができる。
【００１３】
このことは、矩形状である床用断熱材の直交する２つの辺の双方に沿って裁断する場合でも同様であり、さらに、３辺および４辺に沿って裁断する場合でも同様である。そのために、施工現場に応じて、多くの異なった大きさの床用断熱材を調整することができるとともに、すべての大きさの床用断熱材を、同一の留め金具を用いて安定した状態で横架材間に充填することができる。
【００１４】
また、横架材間に充填した床用断熱材は、下方に凹陥する凹陥部領域が形成されており、該凹陥部領域の最下方部には貫通孔が形成されているので、プラットフォーム工法のように屋根を仕上げる前に床部を仕上げることが求められる工法において、雨水が床用断熱材の上面に滞留するのも確実に阻止することができる。
【００１５】
本発明による床用断熱材の一態様では、前記外枠および内枠の双方またはいずれか一方の上面はそれぞれの底面と平行な水平面とされていることを特徴とする。この態様では、横架材間に充填した床用断熱材の上面側に多くの水平面が存在するので、床板など安定した張り付け姿勢が得られる。
【００１６】
本発明による床用断熱材の一態様では、前記外枠および内枠の双方またはいずれか一方の上面は前記凹陥部領域の表面側に連続する傾斜面を有することを特徴とする。この態様では、外枠や内枠の上面領域に滞留する雨水が凹陥部領域の表面側に流れやすくなり、床用断熱材の表面に雨水が滞留するのを一層確実に防止することができる。
【００１７】
本発明による床用断熱材の一態様では、前記矩形状の外枠を構成する４辺の少なくとも１辺には、断面Ｖ字状の切り込み溝が形成されていることを特徴とする。この態様では、床下地の隣り合う横架材間に充填するときに、断面Ｖ字状の切り込み溝が狭くなる方向に変形することができるので、充填が容易となる。また、横架材と側面と床用断熱材の側面との密着性もより良好となる。
【００１８】
本発明による床用断熱材の一態様では、前記凹陥部領域での表面側の傾斜勾配は１／１０〜３／１０の範囲とされる。勾配が１／１０に満たないと断熱材表面に対する水の付着力により水が流下し難くなる場合がある。３／１０を超える勾配は勾配としてはオーバースペックであり、断熱材の下への突出量を大きくなるか、それを回避しようとすると貫通孔付近での厚みが薄くなって断熱性能の低下を招く恐れがある。
【００１９】
本発明による床用断熱材の一態様では、少なくとも前記凹陥部領域の表面には界面活性剤が塗布または含浸されていることを特徴とする。この場合には、前記傾斜勾配の下限値が０．５／１０程度であっても、水の流下が阻害されることは起こらない。
【００２０】
本発明による床用断熱材において、前記貫通孔の水平断面形状は任意であり円形、楕円形あるいは矩形等であってよい。また、前記貫通孔は空孔であってもよいが、通水性を有する材料を充填するようにしてもよい。その場合、空気の流通を抑制することができ、断熱性能の低下を抑制することができる。通水性を有する材料の例としては、連続気泡形状の軟質発泡ポリウレタンフォームや、グラスウールやロックウールなどの繊維系材料を挙げることができる。
【発明の効果】
【００２１】
本発明による床用断熱材を用いることにより、プラットフォーム工法のように屋根を仕上げる前に床部を仕上げることが求められる工法において、床用断熱材を床下地の横架材間に充填した後、その上に床板を張り付けるまでの間に雨が降った場合等において、床用断熱材の上面に雨水が滞留してしまうのを確実に回避することができる。さらに、矩形状の外枠のいずれかに沿って部分的に裁断した形状とした場合であっても、すべてに同一の留め金具を用いて安定した状態で横架材間に充填することが可能となり、施工性が大きく向上する。
【図面の簡単な説明】
【００２２】
【図１】本発明による床用断熱材の第１の形態を示しており、図１（ａ）は平面図、図１（ｂ）は図１（ａ）のｂ−ｂ線に沿って裁断したときの断面図、図１（ｃ）は図１（ａ）のｃ−ｃ線に沿って裁断したときの断面図。
【図２】本発明による床用断熱材の第２の形態を示しており、図２（ａ）は平面図、図２（ｂ）は図２（ａ）のｂ−ｂ線に沿って裁断したときの断面図、図２（ｃ）は図２（ａ）のｃ−ｃ線に沿って裁断したときの断面図。
【図３】本発明による床用断熱材の第３の形態の一例を示す平面図（ａ）と側面図（ｂ）。
【図４】床用断熱材の第３の形態の他の例を示す平面図（ａ）と側面図（ｂ）。
【図５】床用断熱材の第３の形態のさらに他の形態を平面図（ａ）と側面図（ｂ）。
【図６】本発明による床用断熱材の第４の形態を示しており、図６（ａ）は平面図、図６（ｂ）は図６（ａ）のｂ−ｂ線に沿って裁断したときの断面図、図６（ｃ）は底面図。
【図７】従来の床用断熱材の一例を説明するための図。
【図８】従来の床用断熱材の他の形態を示しており、図８（ａ）は平面図、図８（ｂ）は図８（ａ）のｘ−ｘ線に沿う断面図、図８（ｃ）は図８（ａ）のｙ−ｙ線に沿う断面図。
【発明を実施するための形態】
【００２３】
以下、図面を参照しながら、本発明の実施の形態を説明する。
［第１の形態］
図１は本発明による床用断熱材の第１の形態を示す。床用断熱材５０Ａは、例えば発泡性ポリスチレン粒子を型内発泡成形法のような手段で、一体成形されている。床用断熱材５０Ａは矩形状であり、図８に基づき説明した床用断熱材１０ａと同様に、外枠１１と内枠１５を備える。図１に示すように、外枠１１は、互いに平行なＹ方向の外枠１１ａ、１１ｂと、互いに平行なＸ方向の外枠１１ｃ、１１ｄとからなり、該外枠１１で囲まれる内側領域に、Ｙ方向の外枠１１ａ、１１ｂに両端を接続する１本の第１の内枠１５ｙと、Ｘ方向の外枠１１ｃ、１１ｄに両端を接続する１本の第２の内枠１５ｘとを備えている。
【００２４】
図示ものでは、第１の内枠１５ｙは、外枠１１ｃ、１１ｄの中央部から外枠１１ａ、１１ｂに平行に設けてあり、第２の内枠１５ｘは、外枠１１ａ、１１ｂの中央部から外枠１１ｃ、１１ｄに平行に設けてあり、内枠１５ｙ、１５ｘは直交した状態となっているが、それぞれの内枠１５ｙ、１５ｘは、対向している外枠の任意の位置に両端を接続していればよく、また、２つの１５ｙ、１５ｘの交差角度は任意であってよい。また、外枠１１と内枠１５の厚みは等しく、かつ底面は平坦な水平面とされており、上面も底面と平行な平坦な水平面とされている。
【００２５】
外枠１１と内枠１５で囲まれる領域には、図８に基づき説明した床用断熱材１０ａと同様に、外枠１１および内枠１５の上面から凹陥する形状とされた凹陥部領域１２が適数個（図示の者では４個）形成されており、該凹陥部領域１２の最下方部には貫通孔１３が形成されている。各凹陥部領域１２の厚さは、外枠１１および内枠１５の厚さとほぼ同じであり、その表面側の傾斜勾配は１／１０〜３／１０程度とされている。
【００２６】
この床用断熱材５０Ａも、図７に基づき説明したように、床下地の隣り合う横架材の間隔に充填される。すなわち、図７で示したように、床用断熱材５０Ａは、床下地における大引きや土台（根太）等である隣り合う第１の横架材２０ａと２０ｂと、それに直交する方向の隣り合う第２の横架材２１ａと２１ｂとで形成される空間内に、隙間のない状態で充填される形状と大きさとされている。そして、床用断熱材５０Ａを床下地に断熱材として取り付けるに当たっては、第１の横架材２０ａと２０ｂおよび第２の横架材２１ａと２１ｂとで形成される空間領域の上に床用断熱材１０を置き、上から押し付けながら嵌め込むようにする。その際に、図７に示したように、横架材に止め金具３１を取り付けておき、該止め金具３１によって、外枠１１の平坦な底面を支持させることで、嵌め込み姿勢を安定させる。
【００２７】
上記のようにして横架材間に床用断熱材５０Ａを充填した後、床板を張り付ける前に雨が降った場合でも、雨水は、床用断熱材５０Ａの上面に形成されている傾斜面の勾配により下方に流下していき貫通孔１３から床下に落下するので、床用断熱材５０Ａの上面に雨水が滞留することはない。
【００２８】
施工現場によって横架材間の間隔は一定でなく、施工現場における横架材間の間隔に適合するように、床用断熱材５０Ａの周囲をカッターナイフや熱線等で適宜の幅で切断することが必要となる。例として、図１でＸ方向の線であるｂ−ｂ線に沿って切断する場合を考える。そのときの断面が図１（ｂ）に示される。切断面には、Ｙ方向の外枠１１ａ、１１ｂの断面１１ａｓ、１１ｂｓと、第１の内枠１５ｙの断面１５ｙｓがかならず現れる。これは、前記ｂ−ｂ線をＹ方向のいずれの位置に設定しても同じであり、Ｙ方向での任意の幅に切断した床用断熱材５０Ａが必要とされる場合でも、得られる切断後の床用断熱材５０Ａの切断面には、かならず、第１の内枠１５ｙの断面１５ｙｓが現れるようになる。
【００２９】
このことは、図１でＹ方向の線であるｃ−ｃ線に沿って切断する場合も同じであり、そのときの断面を図１（ｃ）に示すように、切断面には、Ｙ方向の外枠１１ｃ、１１ｄの断面１１ｃｓ、１１ｄｓと、第２の内枠１５ｘの断面１５ｘｓがかならず現れる。これは、前記ｃ−ｃ線をＸ方向のいずれの位置に設定しても同じであり、Ｘ方向での任意の幅に切断した床用断熱材５０Ａが必要とされる場合でも、得られる切断後の床用断熱材５０Ａの切断面には、かならず、第２の内枠１５ｘの断面１５ｘｓが現れるようになる。
【００３０】
すなわち、施工現場の要望に合わせて、床用断熱材５０Ａを、Ｘ方向、Ｙ方向、あるいはＸ方向とＹ方向と双方向で、適宜の大きさとなるように切断した場合でも、その切断面には、第１の内枠１５ｙの断面１５ｙｓおよび第２の内枠１５ｘの断面１５ｘｓのいずれか一方または双方が、かならず現れる。そして、第１の内枠１５ｙの断面１５ｙｓおよび第２の内枠１５ｘの断面１５ｘｓの底面は平坦な水平面となっており、そのために、外枠１１の部分を固定するのに用いられる留め金具３０（図１参照）をそのまま用いて、任意の大きさに切断した床用断熱材５０Ａを安定した状態で、床下地の隣り合う横架材の間に挿入することが可能となる。具体的には、挿入時に前記切断面が当接することとなる横架材における、挿入しようとする前記切断された床用断熱材５０Ａの切断面に現れる第１の内枠１５ｙの断面１５ｙｓまたは第２の内枠１５ｘの断面１５ｘｓのいずれか一方または双方が位置することとなる部位に、外枠１１の部分を固定するのに用いる留め金具３０を固定することで、切断された床用断熱材５０Ａを安定的に横架材間に挿入し固定することができる。
【００３１】
［第２の形態］
図２は、本発明による床用断熱材の第２の形態を示す。この床用断熱材５０Ｂは、複数本（図示のものでは２本）の前記第１の内枠１５ｙを有し、また、複数本（図示のものでは２本）の第２の内枠１５ｘを有している点で、第１の形態の床用断熱材５０Ａと形状が相違する。その他の形状は第１の形態の床用断熱材５０Ａと同じであり、同じ符号を付して説明は省略する。
【００３２】
この床用断熱材５０Ｂにおいても、施工現場での横架材の配置に合わせて、任意の大きさにＸ方向およびＹ方向の１方向あるいは２方向から切断した場合でも、その切断面には、平坦な水平面となっている第１の内枠１５ｙの切断面１５ｙｓまたは第２の内枠１５ｘの切断面１５ｘのいずれかまたは双方がかならず現れる。
【００３３】
［第３の形態］
図３〜図５は、床用断熱材の第３の形態を示す。この床用断熱材５０Ｃは、いずれかの外枠１１に、断面Ｖ字状の切り込み溝５１が形成されている点で、第１の形態の床用断熱材５０Ａまたは第２の形態の床用断熱材５０Ｂと形状が相違する。その他の形状は第１の形態の床用断熱材５０Ａあるいは第２の形態の床用断熱材５０Ｂと同じであり、同じ符号を付して説明は省略する。なお、図３〜図５では、例として、第１の形態の床用断熱材５０Ａに断面Ｖ字状の切り込み溝５１を形成したものを示している。
【００３４】
図３に示す床用断熱材５０Ｃでは、前記したＹ方向の外枠１１ａに、その全長にわたって、断面Ｖ字状の切り込み溝５１を形成している。図４に示す床用断熱材５０Ｃでは、Ｙ方向の外枠１１ａとＸ方向の外枠１１ｄとに、その全長にわたって、断面Ｖ字状の切り込み溝５１を形成している。図５に示す床用断熱材５０Ｃでは、Ｙ方向の外枠１１ａと外枠１１ｂとに、その全長にわたって、断面Ｖ字状の切り込み溝５１を形成している。図示しないが、３つの外枠に、あるいは４つの外枠のすべてに断面Ｖ字状の切り込み溝５１を形成してもよい。
【００３５】
この形態の床用断熱材５０Ｃでは、床下地の隣り合う横架材間に床用断熱材５０Ｃを充填するときに、断面Ｖ字状の切り込み溝５１が狭くなる方向に変形することができるので、充填が容易となる。また、横架材と側面と床用断熱材５０Ｃの側面との密着性もより良好なものとなる。
【００３６】
［第４の形態］
図６は、本発明による床用断熱材の第４の形態を示す。この床用断熱材５０Ｄは、外枠１１（１１ａ〜１１ｄ）および内枠１５（第１の内枠１５ｙおよび第２の内枠１５ｘ）の双方の上面が、第１の形態の床用断熱材５０Ａでは、下面と平行かつ平坦な水平面であったのに対して、前記凹陥部領域１２の表面側に連続する傾斜面５２とされている点で、第１の形態の床用断熱材５０Ａと形状が相違する。その他の形状は第１の形態の床用断熱材５０Ａと同じであり、同じ符号を付して説明は省略する。
【００３７】
この床用断熱材５０Ｄでは、外枠１１および内枠１５の上面が傾斜面５２となっているので、外枠１１および内枠１５の上面に雨水等が滞留することなく、雨水はそこから速やかに凹陥部領域１２の表面領域に流入して前記貫通孔１３から排出される。そして、第４の形態の床用断熱材５０Ｄでも、外枠１１および内枠１５の底面は、第１の形態の床用断熱材５０Ａと同様に、平坦な水平面となっており、横架材間に充填するときの作業は、床用断熱材５０Ａの場合と同じである。
【００３８】
なお、図示しないが、外枠１１および内枠１５の上面を傾斜面５２とする態様は、上記した第２の形態の床用断熱材５０Ｂおよび第３の形態の床用断熱材５０Ｃにも、同じように適用することができる。さらに、外枠１１および内枠１５の上面を傾斜面５２とする態様は、すべての外枠（外枠１１ａ〜１１ｄ）およびすべての内枠１５（第１の内枠１５ｙおよび第２の内枠１５ｘ）に適用してもよく、施工現場の状況に応じてそのいずれかのみに適用してもよい。
【００３９】
また、図６に示した床用断熱材５０Ｄでは、第１の内枠１５ｙおよび第２の内枠１５ｘに左右対称の傾斜面５２を形成して、中央部に稜線５３が形成されるようにしたが、稜線５３の位置は一方側に偏位していてもよく、また傾斜面５２は１つ斜面のみで形成されていてもよい。さらに、図６に示した床用断熱材５０Ｄでは、外枠１１および内枠１５の上面に形成した傾斜面５２の傾斜角度と凹陥部領域１２の表面の傾斜角度とを同じ角度として、連続した斜面が形成されるようにしたが、双方の傾斜角度は異なっていてもよい。また、外枠１１および内枠１５の上面には一部にそれぞれの底面と平行な水平面が形成されていたもよい。
【００４０】
上記したいずれの形態の床用断熱材５０においても、界面活性剤を床用断熱材５０の凹陥部領域１２の表面上に塗布することもできる。さらに加えて、外枠１１および内枠１５の上面にも、界面活性剤を塗布することが望ましい。界面活性剤をコーティング、含浸または練り込んだ発泡性ポリスチレン粒子を用いて床用断熱材５０を型内発泡成形してもよい。いずれの場合も、床用断熱材５０の表面上での水の流下がさらに良好となる。また、前記貫通孔１３は空孔であってもよいが、貫通孔１３の全部または一部に、通水性を有する連続気泡形状の軟質発泡ポリウレタンフォームやグラスウール、ロックウールなどの繊維系材料を充填材として充填することもできる。それにより、空気の流通を抑制することができ、断熱性能の低下が抑制される。
【符号の説明】
【００４１】
５０（５０Ａ〜５０Ｃ）…床用断熱材、
１１ａ〜１１ｄ…外枠、
１１ａｓ〜１１ｄｓ…床用断熱材を切断したときに切断面に現れる外枠の断面、
１２…凹陥部領域、
１３…貫通孔、
１５ｘ、１５ｙ…内枠、
１５ｙｓ、１５ｘｓ…床用断熱材を切断したときに切断面に現れる内枠の断面、
３０…止め金具、
５１…外枠に形成した断面Ｖ字状の切り込み溝、
５２…外枠または内枠の上面に形成された傾斜面、
５３…外枠または内枠の上面に形成された稜線。
【図１】
2013204276.tif 000003
【図２】
2013204276.tif 000004
【図３】
2013204276.tif 000005
【図４】
2013204276.tif 000006
【図５】
2013204276.tif 000007
【図６】
2013204276.tif 000008
【図７】
2013204276.tif 000009
【図８】
2013204276.tif 000010